(57)【要約】【課題】異なるプロファイルが混在するＤＶＢ−Ｔ２の放送信号から所望のプロファイルを素早く受信して復調することができるようにする。【解決手段】ＤＶＢ−Ｔ２規格に適合し、複数のプロファイルが混在する放送信号であって、チューナで受信した放送信号から得られた中間周波数ＯＦＤＭ信号の電力を調整するためのゲインを供給するゲイン供給部と、複数のプロファイルのそれぞれに対応するフレームの先頭位置を検出する位置検出部と、フレームの先頭位置が検出されたとき、ゲイン供給部がチューナから出力される中間周波数ＯＦＤＭ信号の電力に基づいてゲインを算出する時間的間隔を特定する時定数を、フレームのプロファイルに応じて変更する時定数変更部とを備える。【選択図】図１２
2014007679.tif 000002
【特許請求の範囲】
【請求項１】
ＤＶＢ−Ｔ２規格に適合し、複数のプロファイルが混在する放送信号であって、チューナで受信した前記放送信号から得られた中間周波数ＯＦＤＭ信号の電力を調整するためのゲインを供給するゲイン供給部と、
前記複数のプロファイルのそれぞれに対応するフレームの先頭位置を検出する位置検出部と、
前記フレームの先頭位置が検出されたとき、前記ゲイン供給部が前記チューナから出力される前記中間周波数ＯＦＤＭ信号の電力に基づいて前記ゲインを算出する時間的間隔を特定する時定数を、前記フレームのプロファイルに応じて変更する時定数変更部と
を備える受信装置。
【請求項２】
前記先頭位置が検出されたフレームが復号データを出力すべきプロファイルに対応するフレームであるか否かを判定するプロファイル判定部をさらに備え、
前記先頭位置が検出されたフレームが復号データを出力すべきプロファイルに対応するフレームであると判定された場合、
前記時定数変更部は、
前記ゲイン供給部の時定数を、前記ゲインを算出する時間的間隔を短くする時定数に変更する
請求項１に記載の受信装置。
【請求項３】
前記先頭位置が検出されたフレームが復号データを出力すべきプロファイルに対応するフレームではないと判定された場合、
前記ゲイン供給部から供給されるゲインを一定に保持させるように制御するゲイン保持制御部をさらに備える
請求項２に記載の受信装置。
【請求項４】
前記先頭位置が検出されたフレームが復号データを出力すべきプロファイルに対応するフレームであるか否かを判定するプロファイル判定部と、
前記先頭位置が検出されたフレームが復号データを出力すべきプロファイルに対応するフレームであると判定された場合、前記ゲイン供給部から供給されるゲインの初期値を、予め決められた所定の値に設定する初期値設定部とをさらに備える
請求項１に記載の受信装置。
【請求項５】
前記初期ゲイン設定部は、前記復号データを出力すべきプロファイルの信号の復調に適した値を、前記ゲインの初期値として設定する
請求項４に記載の受信装置。
【請求項６】
ＤＶＢ−Ｔ２規格に適合し、複数のプロファイルが混在する放送信号であって、チューナで受信した前記放送信号から得られた中間周波数ＯＦＤＭ信号の電力を調整するためのゲインを供給するゲイン供給部を有する受信装置の受信方法において、
前記複数のプロファイルのそれぞれに対応するフレームの先頭位置を検出し、
前記フレームの先頭位置が検出されたとき、前記ゲイン供給部が前記チューナから出力される前記中間周波数ＯＦＤＭ信号の電力に基づいて前記ゲインを算出する時間的間隔を特定する時定数を、前記フレームのプロファイルに応じて変更するステップ
を含む受信方法。
【請求項７】
コンピュータを、
ＤＶＢ−Ｔ２規格に適合し、複数のプロファイルが混在する放送信号であって、チューナで受信した前記放送信号から得られた中間周波数ＯＦＤＭ信号の電力を調整するためのゲインを供給するゲイン供給部と、
前記複数のプロファイルのそれぞれに対応するフレームの先頭位置を検出する位置検出部と、
前記フレームの先頭位置が検出されたとき、前記ゲイン供給部が前記チューナから出力される前記中間周波数ＯＦＤＭ信号の電力に基づいて前記ゲインを算出する時間的間隔を特定する時定数を、前記フレームのプロファイルに応じて変更する時定数変更部として機能させる
プログラム。
【請求項８】
チューナで受信したＤＶＢ−Ｔ２規格に適合する前記放送信号から得られた中間周波数ＯＦＤＭ信号の電力を調整するためのゲインを供給するゲイン供給部と、
前記放送信号の中のＦＥＦ区間において前記ゲイン供給部から供給されるゲインを一定に保つように制御するゲイン保持制御部と、
前記放送信号に複数のプロファイルが混在するか否かを判定する混在判定部と、
前記放送信号に複数のプロファイルが混在すると判定された場合、前記ゲイン保持制御部の動作を停止させるゲイン保持動作停止部と
を備える受信装置。
【請求項９】
チューナで受信したＤＶＢ−Ｔ２規格に適合する前記放送信号から得られた中間周波数ＯＦＤＭ信号の電力を調整するためのゲインを供給するゲイン供給部と、前記放送信号の中のＦＥＦ区間において前記ゲイン供給部から供給されるゲインを一定に保つように制御するゲイン保持制御部とを有する受信装置の受信方法において、
混在判定部が、前記放送信号に複数のプロファイルが混在するか否かを判定し、
ゲイン保持動作停止部が、前記放送信号に複数のプロファイルが混在すると判定された場合、前記ゲイン保持制御部の動作を停止させるステップ
を含む受信方法。
【請求項１０】
コンピュータを、
チューナで受信したＤＶＢ−Ｔ２規格に適合する前記放送信号から得られた中間周波数ＯＦＤＭ信号の電力を調整するためのゲインを供給するゲイン供給部と、
前記放送信号の中のＦＥＦ区間において前記ゲイン供給部から供給されるゲインを一定に保つように制御するゲイン保持制御部と、
前記放送信号に複数のプロファイルが混在するか否かを判定する混在判定部と、
前記放送信号に複数のプロファイルが混在すると判定された場合、前記ゲイン保持制御部の動作を停止させるゲイン保持動作停止部とを備える受信装置として機能させる
プログラム。
【発明の詳細な説明】
【技術分野】
【０００１】
本技術は、受信装置および方法、並びにプログラムに関し、特に、異なるプロファイルが混在するＤＶＢ−Ｔ２の放送信号から所望のプロファイルを素早く受信して復調することができるようにする受信装置および方法、並びにプログラムに関する。
【背景技術】
【０００２】
地上デジタル放送の規格としては、例えば、第２世代欧州地上波デジタル放送規格（ＤＶＢ−Ｔ２規格）の策定が進められている（非特許文献１参照）。
【０００３】
このＤＶＢ−Ｔ２規格に適合する地上デジタル放送では、直交周波数分割多重方式（ＯＦＤＭ(Orthogonal Frequency Division Multiplexing)）と呼ばれる変調方式が用いられる。
【０００４】
ＯＦＤＭ方式によるデータ伝送は、伝送帯域内に多数の直交するサブキャリア（副搬送波）を使用し、それぞれのサブキャリアの振幅や位相にデータを割り当てることによって行われる。データはＯＦＤＭシンボルと呼ばれるシンボル単位で伝送される。ＯＦＤＭシンボルに対しては、送信時にＩＦＦＴ(Inverse Fast Fourier Transform)が行われる。
【０００５】
ＤＶＢ-Ｔ２規格では、Ｔ２フレームと呼ばれるフレームが定義され、データはＴ２フレーム単位で送信される。そして、ＤＶＢ−Ｔ２規格では、送信Ｔ２フレーム間に、ＦＥＦ(Future Extension Frame)と呼ばれる信号を時間方向に多重して送信することが可能となっている。
【０００６】
Ｔ２フレームは、Ｐ１と呼ばれるプリアンブル信号を含み、そのプリアンブル信号には、当該フレームがＴ２フレームなのかＦＥＦなのかを判別するための情報や、ＯＦＤＭ信号の復調等の処理に必要な情報が含まれる。
【０００７】
また、Ｔ２フレームにはＰ１に加えてＰ２と呼ばれるプリアンブル信号が含まれており、Ｐ２には、ＦＥＦの長さ、間隔、種別などを表す情報、Ｔ２フレームの復調処理に必要な情報が含まれている。
【０００８】
例えば、受信装置において、Ｐ１、Ｐ２に含まれるＦＥＦに係る情報を取得する事によって、Ｔ２フレームのみを取り出して復調することができ、ＦＥＦの影響を排除して復調性能を向上させることが出来る。
【０００９】
ＤＶＢ−Ｔ２規格ではＦＥＦに格納される信号の具体的な内容についての規定がないため、ＦＥＦ部分にはどのような信号が送信されるのか、受信機において予測できない。
【００１０】
受信機が、例えば、入力されたＯＦＤＭ信号の電力を一定に保つようなゲイン制御の機構(ＡＧＣ（Automatic Gain Control）)を備える場合、ＦＥＦ区間でＡＧＣが作動してゲインが追従し、Ｔ２区間での信号の受信に影響を及ぼす可能性がある。このため、ＤＶＢ−Ｔ２規格では、ＦＥＦ区間はＡＧＣを停止させ、ゲインを一定に保持させておくことが推奨されている。
【先行技術文献】
【非特許文献】
【００１１】
【非特許文献１】DVB BlueBook A122 Rev.1，Frame structure channel coding and modulation for a second generation digital terrestrial television broadcasting system (DVB-T2) 平成２０年９月１日、ＤＶＢのホームページ、［平成２４年６月８日検索］、インターネット＜URL：http://www.dvb.org/technology/＞
【発明の開示】
【発明が解決しようとする課題】
【００１２】
しかしながら、ＤＶＢ−Ｔ２規格のv1.3.1では、Ｔ２−Ｌｉｔｅと呼ばれるモバイル端末向けのプロファイルが追加されている。Ｔ２−Ｌｉｔｅは、受信機コスト低減を目的として、従来のＴ２のパラメータを限定した方式となっており、従来の受信機との互換性のある方式である。
【００１３】
このＴ２−Ｌｉｔｅのプロファイルは、ＦＥＦとして送信されることが規定されている。従って、今後、ＤＶＢ−Ｔ２規格に適合する地上デジタル放送において、Ｔ２のプロファイルと、Ｔ２−Ｌｉｔｅのプロファイルが混在する信号が送信されることがある。
【００１４】
このように、Ｔ２とＴ２−Ｌｉｔｅが混在する場合、Ｔ２のプロファイルの受信および復調を行う受信機は、Ｔ２−Ｌｉｔｅのプロファイルのフレーム（Ｔ２−Ｌｉｔｅフレーム）をＦＥＦとみなして処理することになり、Ｔ２−Ｌｉｔｅのプロファイルの受信および復調を行う受信機は、Ｔ２フレームをＦＥＦとみなして処理することになる。
【００１５】
また、このように、Ｔ２とＴ２−Ｌｉｔｅが混在する場合、長いＴ２区間と、非常に短いＴ２−Ｌｉｔｅ区間とが交互に現れるような場合が考えられる。
【００１６】
このような場合、Ｔ２−Ｌｉｔｅを受信して復調するとき、上述したようにＦＥＦ区間（Ｔ２フレームが連続する区間）にＡＧＣを停止させるような動作を行うと、短いＴ２−Ｌｉｔｅ区間でのみＡＧＣが動作することになるため、ゲインが適切な値に収束するまでに時間がかかることになる。結果として、Ｔ２−Ｌｉｔｅのプロファイルの受信および復調は、Ｔ２のプロファイルの受信および復調に比べて長い時間を要することになる。
【００１７】
本技術はこのような状況に鑑みて開示するものであり、異なるプロファイルが混在するＤＶＢ−Ｔ２の放送信号から所望のプロファイルを素早く受信して復調することができるようにするものである。
【課題を解決するための手段】
【００１８】
本技術の一側面は、ＤＶＢ−Ｔ２規格に適合し、複数のプロファイルが混在する放送信号であって、チューナで受信した前記放送信号から得られた中間周波数ＯＦＤＭ信号の電力を調整するためのゲインを供給するゲイン供給部と、前記複数のプロファイルのそれぞれに対応するフレームの先頭位置を検出する位置検出部と、前記フレームの先頭位置が検出されたとき、前記ゲイン供給部が前記チューナから出力される前記中間周波数ＯＦＤＭ信号の電力に基づいて前記ゲインを算出する時間的間隔を特定する時定数を、前記フレームのプロファイルに応じて変更する時定数変更部とを備える受信装置である。
【００１９】
前記先頭位置が検出されたフレームが復号データを出力すべきプロファイルに対応するフレームであるか否かを判定するプロファイル判定部をさらに備え、前記先頭位置が検出されたフレームが復号データを出力すべきプロファイルに対応するフレームであると判定された場合、前記時定数変更部は、前記ゲイン供給部の時定数を、前記ゲインを算出する時間的間隔を短くする時定数に変更するようにすることができる。
【００２０】
前記先頭位置が検出されたフレームが復号データを出力すべきプロファイルに対応するフレームではないと判定された場合、前記ゲイン供給部から供給されるゲインを一定に保持させるように制御するゲイン保持制御部をさらに備えるようにすることができる。
【００２１】
前記先頭位置が検出されたフレームが復号データを出力すべきプロファイルに対応するフレームであるか否かを判定するプロファイル判定部と、前記先頭位置が検出されたフレームが復号データを出力すべきプロファイルに対応するフレームであると判定された場合、前記ゲイン供給部から供給されるゲインの初期値を、予め決められた所定の値に設定する初期値設定部とをさらに備えるようにすることができる。
【００２２】
前記初期ゲイン設定部は、前記復号データを出力すべきプロファイルの信号の復調に適した値を、前記ゲインの初期値として設定するようにすることができる。
【００２３】
本技術の一側面は、ＤＶＢ−Ｔ２規格に適合し、複数のプロファイルが混在する放送信号であって、チューナで受信した前記放送信号から得られた中間周波数ＯＦＤＭ信号の電力を調整するためのゲインを供給するゲイン供給部を有する受信装置の受信方法において、前記複数のプロファイルのそれぞれに対応するフレームの先頭位置を検出し、前記フレームの先頭位置が検出されたとき、前記ゲイン供給部が前記チューナから出力される前記中間周波数ＯＦＤＭ信号の電力に基づいて前記ゲインを算出する時間的間隔を特定する時定数を、前記フレームのプロファイルに応じて変更するステップを含む受信方法である。
【００２４】
本技術の一側面は、コンピュータを、ＤＶＢ−Ｔ２規格に適合し、複数のプロファイルが混在する放送信号であって、チューナで受信した前記放送信号から得られた中間周波数ＯＦＤＭ信号の電力を調整するためのゲインを供給するゲイン供給部と、前記複数のプロファイルのそれぞれに対応するフレームの先頭位置を検出する位置検出部と、前記フレームの先頭位置が検出されたとき、前記ゲイン供給部が前記チューナから出力される前記中間周波数ＯＦＤＭ信号の電力に基づいて前記ゲインを算出する時間的間隔を特定する時定数を、前記フレームのプロファイルに応じて変更する時定数変更部として機能させるプログラムである。
【００２５】
本技術の一側面においては、ＤＶＢ−Ｔ２規格に適合し、複数のプロファイルが混在する放送信号であって、チューナで受信した前記放送信号から得られた中間周波数ＯＦＤＭ信号の電力を調整するためのゲインが供給され、前記複数のプロファイルのそれぞれに対応するフレームの先頭位置が検出され、前記フレームの先頭位置が検出されたとき、前記チューナから出力される前記中間周波数ＯＦＤＭ信号の電力に基づいて前記ゲインを算出する時間的間隔を特定する時定数が、前記フレームのプロファイルに応じて変更される。
【発明の効果】
【００２６】
本技術によれば、異なるプロファイルが混在するＤＶＢ−Ｔ２の放送信号から所望のプロファイルを素早く受信して復調することができる。
【図面の簡単な説明】
【００２７】
【図１】ＤＶＢ−Ｔ２規格において規定される放送信号の構成例を示す図である。
【図２】Ｐ１に含まれるＳ1とＳ２について説明する図である。
【図３】Ｓ１とＳ２の情報の組み合わせパターンを説明する図である。
【図４】送信信号とゲインの関係を説明する図である。
【図５】ＦＥＦ区間はＡＧＣを停止させ、ゲインを一定に保持させるときの各波形を示す図である。
【図６】ＤＶＢ−Ｔ２規格に適合する地上デジタル放送の放送信号のプロファイルの組み合わせを説明する図である。
【図７】複数のプロファイルが混在する場合の例を説明する図である。
【図８】複数のプロファイルが混在する場合、ＦＥＦ区間はＡＧＣを停止させ、ゲインを一定に保持させるときの各波形を示す図である。
【図９】本技術を適用した受信装置の一実施の形態に係る構成例を示すブロック図である。
【図１０】図９のフレーム同期部の詳細な構成例を示すブロック図である。
【図１１】本技術を適用した場合の送信信号とＡＧＣで設定されるゲインの例を説明する図である。
【図１２】図９のフレーム同期部の別の詳細な構成例を示すブロック図である。
【図１３】本技術を適用した場合の送信信号とＡＧＣで設定されるゲインの別の例を説明する図である。
【図１４】本技術を適用した場合の送信信号とＡＧＣで設定されるゲインのさらに別の例を説明する図である。
【図１５】プロファイル別受信処理の例を説明するフローチャートである。
【図１６】プロファイル別受信処理の別の例を説明するフローチャートである。
【図１７】プロファイル別受信処理のさらに別の例を説明するフローチャートである。
【図１８】パーソナルコンピュータの構成例を示すブロック図である。
【発明を実施するための形態】
【００２８】
以下、図面を参照して、ここで開示する技術の実施の形態について説明する。
【００２９】
図１は、第２世代欧州地上波デジタル放送規格（ＤＶＢ−Ｔ２規格）において規定される放送信号の構成例を示す図である。
【００３０】
ＤＶＢ−Ｔ２規格に適合する地上デジタル放送では、直交周波数分割多重方式（ＯＦＤＭ(Orthogonal Frequency Division Multiplexing)）と呼ばれる変調方式が用いられる。
【００３１】
ＯＦＤＭ方式によるデータ伝送は、伝送帯域内に多数の直交するサブキャリア（副搬送波）を使用し、それぞれのサブキャリアの振幅や位相にデータを割り当てることによって行われる。データはＯＦＤＭシンボルと呼ばれるシンボル単位で伝送される。ＯＦＤＭシンボルに対しては、送信時にＩＦＦＴ(Inverse Fast Fourier Transform)が行われる。
【００３２】
ＤＶＢ-Ｔ２規格では、Ｔ２フレームと呼ばれるフレームが定義され、データはＴ２フレーム単位で送信される。そして、ＤＶＢ−Ｔ２規格では、送信Ｔ２フレーム間に、ＦＥＦ(Future Extension Frame)と呼ばれる信号を時間方向に多重して送信することが可能となっている。
【００３３】
図１の例では、３つのＴ２フレームと１つのＦＥＦが周期的に送信されている。
【００３４】
Ｔ２フレームは、Ｐ１と呼ばれるプリアンブル信号を含み、そのプリアンブル信号には、当該フレームがＴ２フレームなのかＦＥＦなのかを判別するための情報や、ＯＦＤＭ信号の復調等の処理に必要な情報が含まれる。なお、Ｐ１はＦＥＦにも含まれている。
【００３５】
また、Ｔ２フレームにはＰ１に加えてＰ２と呼ばれるプリアンブル信号が含まれており、Ｐ２には、ＦＥＦの長さ（図１のFEF length）、間隔（図１のFEF interval）、種別などを表す情報、Ｔ２フレームの復調処理に必要な情報が含まれている。
【００３６】
Ｐ１には、そのフレームがＴ２フレームであるのか、ＦＥＦであるのかを判別するための判別情報がシグナリング(Signaling)されている。したがって、Ｔ２フレームを受信する受信装置、ＦＥＦを受信する受信装置は、Ｐ１に含まれる情報を取得することによって、Ｔ２フレームおよびＦＥＦを取り出して復調することができる。
【００３７】
また、Ｐ１には、そのフレームがＴ２フレームの場合、さらに、Ｐ１以外のシンボルのＦＦＴ演算を行うときのＦＦＴサイズ(１回のＦＦＴ演算の対象とするサンプル（シンボル）の数)等の復調処理に必要な情報がシグナリングされている。すなわち、そのフレームがＴ２フレームの場合、Ｐ１は、Ｐ２の復調に必要な伝送方式やＦＦＴサイズ等を含むので、Ｐ２を復調するには、Ｐ１を復調する必要がある。
【００３８】
Ｐ１のシグナリングは、Ｓ１、Ｓ２と呼ばれる部分で構成されており、Ｓ１は３ビット、Ｓ２は４ビットで構成されている。
【００３９】
Ｔ２フレームは、さらに、Ｐ１のシンボルの後に続いて、順にＰ２のシンボル、Ｎｏｒｍａｌと称されるシンボル、およびＦＣ（Flame Closing）と称されるシンボルを有している。
【００４０】
図２を参照し、Ｐ１に含まれるＳ1とＳ２について説明する。上述したように、Ｐ１は、７ビットで構成され、Ｓ１とＳ２から構成されている。
【００４１】
Ｓ１は、３ビットで構成されるため、取り得る値としては、“０００”、“００１”、“０１０”、“０１１”、“１００”、“１０１”、“１１０”、および“１１１”がある。
【００４２】
Ｓ１が“０００”である場合、そのフレームは、Ｔ２ ＳＩＳＯ（Single Input Single Output）であり、Ｔ２フレームであることを示している。Ｓ１が“００１”である場合、そのフレームは、Ｔ２ ＭＩＳＯ（Multiple Input Single Output）であり、Ｔ２フレームであることを示している。Ｓ１が、“０１０”、“０１１”、“１００”、“１０１”、“１１０”、または“１１１”である場合、これらの値は、Reserved（予約）されているため、用途が未確定な値である。Ｓ１がこれらの値の場合、少なくともＴ２フレームではないことは受信装置側で認識できる。
【００４３】
例えば、図１に示したようなＴ２フレームとＦＥＦが多重化されている信号を受信する可能性がある場合、Ｐ１に含まれるＳ１が“０００”または“００１”であるときには、Ｔ２フレームであることがわかり、それ以外の値であるときには、ＦＥＦであることが、受信装置側ではＳ１を解釈することでわかる。
【００４４】
Ｐ１に含まれるＳ２は、４ビットで構成される。４ビットのうち、ＬＳＢ（Least Significant Bit）以外の３ビットは、ＦＥＴ ＳＩＺＥを表す値が記載されるため図３においては×で示されている。Ｓ２のＬＳＢが“０”の場合、その受信している信号は、“Not Mixed”であることを示している。“Not Mixed”とは、Ｔ２フレームだけの信号である、またはＦＥＦだけの信号である場合であり、異なるフレームは多重化されていない信号であることを示している。
【００４５】
Ｓ２のＬＳＢが“１”の場合、その受信している信号は、“Mixed”であることを示している。“Mixed”とは、Ｔ２フレームとＦＥＦといった異なるフレームが多重化されている信号であることを示している。
【００４６】
このような情報が、Ｓ１とＳ２にそれぞれ含まれている。よって、Ｓ１とＳ２の情報の組み合わせには、図３に示すようなパターンがあり、それぞれのパターンにより受信されている信号がどのような信号（フレーム）であるのかが特定できる。
【００４７】
パターンａは、Ｓ１が“０００”または“００１”であるために、受信された信号は、Ｔ２フレームであり、かつＳ２が“×××０”であるために、受信されている信号には異なるフレームは含まれない（Not Mixed）ことがわかるパターンである。パターンａの場合、受信される信号は、Ｔ２フレームだけが含まれる信号（Pure T2）であり、受信装置は、パターンａに適した処理を行う。
【００４８】
パターンｂは、Ｓ１が“０００”または“００１”であるために、受信された信号は、Ｔ２フレームであり、かつＳ２が“×××１”であるために、受信されている信号には異なるフレームが含まれる（Mixed）ことがわかるパターンである。またこのような状況は、処理対象とされているフレームが、Ｔ２フレームであり、そのＴ２フレームに含まれているＰ１が処理されていることもわかる状況である。このようなパターンｂの場合、受信される信号は、Ｔ２フレームとＦＥＦフレームが含まれる信号（ＦＥＦがあるＴ２）であり、受信装置は、パターンｂに適した処理を行う。
【００４９】
パターンｃは、Ｓ１が“０００”、“００１”以外であるために、受信された信号は、Ｔ２フレーム以外（Not T2）であり、かつＳ２が“×××０”であるために、受信されている信号には異なるフレームは含まれない（Not Mixed）ことがわかるパターンである。パターンｃの場合、受信される信号は、ＦＥＦだけが含まれる信号（Not T2）であるので、受信装置は、パターンｃに適した処理を行う。
【００５０】
パターンｄは、Ｓ１が“０００”、“００１”以外であるために、受信された信号は、Ｔ２フレーム以外（Not T2）であり、かつＳ２が“×××１”であるために、受信されている信号には異なるフレームが含まれる（Mixed）ことがわかる状況である。またこのような状況は、処理対象とされているフレームが、ＦＥＦであり、そのＦＥＦに含まれているＰ１が処理されていることもわかる状況である。このようなパターンｄの場合、受信される信号は、Ｔ２フレームとＦＥＦフレームが含まれる信号（ＦＥＦがあるＴ２）であるので、受信装置は、パターンｄに適した処理を行う。
【００５１】
このように、Ｔ２フレームとＦＥＦに含まれるプリアンブル信号のＰ１を解読することで、受信信号の特徴（パターンａ乃至ｄ）を知ることができる。
【００５２】
Ｔ２フレームを受信する受信装置では、Ｐ１,Ｐ２に含まれるＦＥＦの情報を取得する事によって、Ｔ２フレームを抽出して復調することができ、ＦＥＦからの影響を排除して復調性能を向上することが出来るように構成されている。
【００５３】
ＤＶＢ−Ｔ２規格ではＦＥＦに格納される信号の具体的な内容についての規定がないため、ＦＥＦ部分にはどのような信号が送信されるのか、受信機において予測できない。
【００５４】
受信機が、例えば、入力されたＯＦＤＭ信号の電力を一定に保つようなゲイン制御の機構(ＡＧＣ（Automatic Gain Control）)を備える場合、ＦＥＦ区間でＡＧＣが作動してゲインが追従し、Ｔ２区間での信号の受信に影響を及ぼす可能性がある。
【００５５】
例えば、図４に示されるように、４つのＴ２フレームと１つのＦＥＦが周期的に送信される放送信号の例を考える。なお、図中最も上に示される小さい矩形のそれぞれが、ＤＶＢ−Ｔ２規格に適合する放送信号のフレームを表している。
【００５６】
図４において、線１１は、放送局から受信装置に送信される送信信号（放送信号）の波形を表している。線１２は、受信装置のＡＧＣにより設定されるゲインの値の波形を表している。線１３は、送信信号が受信装置で受信されてゲインが乗じられた受信信号の波形を表している。
【００５７】
これらの信号は、横軸が時間とされ、図中最も上に示されるＴ２フレームまたはＦＥＦを表す矩形により示される時間に同期した波形とされる。なお、放送信号の中で、Ｔ２フレームが連続して存在する時間的区間をＴ２区間と称し、ＦＥＦが存在する時間的区間をＦＥＦ区間と称する。
【００５８】
図４の例では、簡単のため、ＦＥＦ区間において波形の振幅がほぼなくなるような送信信号とされている。つまり、当該放送信号は、ＦＥＦ区間の信号電力がほぼ０とされている。
【００５９】
ＡＧＣは、波形の振幅の大きさに応じた大きさのゲインを設定するように動作するので、ＦＥＦ区間が開始されると、線１２が右上向きに傾斜する。また、ＦＥＦ区間が終了後に再度Ｔ２区間が開始されると、線１２が右下向きに傾斜する。
【００６０】
線１２に示されるゲインが乗じられることにより、線１３においては、ＦＥＦ区間が終了後に再度Ｔ２区間が開始される際の波形（図中の楕円で囲まれた部分）の振幅が極端に大きくなってしまう。
【００６１】
このため、ＤＶＢ−Ｔ２規格では、ＦＥＦ区間はＡＧＣを停止させ、ゲインを一定に保持させておくことが推奨されている。
【００６２】
図５は、図４と同様の送信信号を受信装置で受信する場合において、ＦＥＦ区間はＡＧＣを停止させ、ゲインを一定に保持させるときの各波形を示す図である。
【００６３】
図５において、線１１で示される送信信号の波形は図４の場合と同様である。一方、ＡＧＣにより設定されるゲインの値の波形である線１４は、図４の線１２とは異なる波形とされ、受信信号の波形を表す線１５も、図４の線１３とは異なる波形とされている。
【００６４】
すなわち、図５の線１４は、ＦＥＦ区間において水平な直線とされている。ＦＥＦ区間においては、ＡＧＣのゲインの算出動作が停止し、ゲインの値が一定に保持されるからである。
【００６５】
線１４に示されるゲインが乗じられることにより、線１５においては、ＦＥＦ区間が終了後に再度Ｔ２区間が開始される際の波形（図中の楕円で囲まれた部分）の振幅が極端に大きくなることはない。
【００６６】
このように、ＦＥＦ区間はＡＧＣを停止させ、ゲインを一定に保持させておくことで、ＦＥＦ区間の信号によるＴ２区間での信号の受信への影響を排除することができる。
【００６７】
ところで、ＤＶＢ−Ｔ２規格のｖ１.３.１では、Ｔ２−Ｌｉｔｅと呼ばれるモバイル端末向けのプロファイルが追加されている。Ｔ２−Ｌｉｔｅは、受信装置コスト低減を目的として、従来のＴ２のパラメータを限定した方式となっており、従来の受信装置との互換性のある方式である。
【００６８】
このＴ２−Ｌｉｔｅのプロファイルは、ＦＥＦとして送信されることが規定されている。従って、今後、ＤＶＢ−Ｔ２規格に適合する地上デジタル放送において、Ｔ２のプロファイルと、Ｔ２−Ｌｉｔｅのプロファイルが混在する信号が送信されることがある。
【００６９】
図６は、ＤＶＢ−Ｔ２規格に適合する地上デジタル放送の放送信号のプロファイルの組み合わせを説明する図である。
【００７０】
図６の最も上は、Ｔ２フレームのみで構成される放送信号の例を表している。図中上から２番目は、Ｔ２−Ｌｉｔｅフレームのみで構成される放送信号の例を表している。図中上から３番目は、Ｔ２フレームとＴ２−Ｌｉｔｅフレームとで構成される放送信号の例を表している。図中上から４番目は、Ｔ２フレームとＦＥＦとで構成される放送信号であって、Ｔ２フレームが多い場合の例を表している。図中上から５番目（下から２番目）は、Ｔ２フレームとＦＥＦとで構成される放送信号であって、Ｔ２−Ｌｉｔｅフレームが多い場合の例を表している。図中の最も下は、Ｔ２フレームと、Ｔ２−Ｌｉｔｅフレームと、ＦＥＦとで構成される放送信号の例を表している。
【００７１】
なお、図中の小さい矩形のそれぞれが、ＤＶＢ−Ｔ２規格に適合する放送信号のフレームを表している。
【００７２】
Ｔ２フレームとＴ２−Ｌｉｔｅフレームが混在する場合、Ｔ２のプロファイルの受信および復調を行う受信装置は、例えば、図７の上側に示されるように、Ｔ２−ＬｉｔｅフレームをＦＥＦとみなして処理することになる。また、Ｔ２−Ｌｉｔｅのプロファイルの受信および復調を行う受信装置は、例えば、図７の下側に示されるように、Ｔ２フレームをＦＥＦとみなして処理することになる。
【００７３】
いま、Ｔ２フレームとＴ２−Ｌｉｔｅフレームが混在し、Ｔ２−Ｌｉｔｅ区間に比べてＴ２区間が非常に長い場合、受信装置がＴ２−Ｌｉｔｅのプロファイルの受信および復調を行うときを考える。図８は、このときの送信信号とＡＧＣで設定されるゲインを説明する図である。なお、図中最も上に示される小さい矩形のそれぞれが、ＤＶＢ−Ｔ２規格に適合する放送信号のフレームを表している。
【００７４】
図８において、線２１は、放送局から受信装置に送信される送信信号（放送信号）の波形を表している。線２２は、受信装置のＡＧＣにより設定されるゲインの値の波形を表している。点線２３は、当該放送信号のＴ２−Ｌｉｔｅフレームの受信および復調を行うのに適したゲインの値を示している。
【００７５】
これらの波形は、横軸が時間とされ、図中最も上に示されるＴ２フレームまたはＦＥＦを表す矩形により示される時間に同期した波形とされる。
【００７６】
上述したように、Ｔ２フレームとＴ２−Ｌｉｔｅフレームが混在する場合、Ｔ２−Ｌｉｔｅのプロファイルの受信および復調を行う受信装置は、Ｔ２フレームをＦＥＦとみなして処理することになる。
【００７７】
図８に示されるように、Ｔ２−Ｌｉｔｅ区間に比べてＴ２区間が非常に長い場合、放送信号の中のかなり大きな区間がＦＥＦとみなされ、その間ＡＧＣの設定動作が停止し、ゲインの値が一定に保持される。このため、線２２は、ＡＧＣの動作開始後から徐々に上昇するが、Ｔ２区間では水平な直線となる。そして、この例では、第４番目のＴ２−Ｌｉｔｅ区間で、ようやく線２２が点線２３と交差し、受信および復調を行うのに適したゲインの値が設定されている。
【００７８】
このように、Ｔ２フレームとＴ２−Ｌｉｔｅフレームが混在する場合、従来の技術では、ゲインが適切な値に収束するまでに時間がかかることになる。結果として、Ｔ２−Ｌｉｔｅのプロファイルの受信および復調は、Ｔ２のプロファイルの受信および復調に比べて長い時間を要することになる。
【００７９】
そこで、本技術では、所望のプロファイルの受信および復調に適したゲインが迅速に設定されるようにする。
【００８０】
図９は、本技術を適用した受信装置の構成例を示すブロック図である。この受信装置１００は、ＤＶＢ−Ｔ２に適合する放送信号を受信して復調する。
【００８１】
図９に示される受信装置１００は、ＲＦチューナ１１０、復調部１２０、およびＭＰＥＧデコーダ１４０から構成されている。
【００８２】
ＲＦチューナ１１０は、局部発振器１１２、ミキサ１１３、ＩＦアンプ１１４、およびＡ／Ｄコンバータ１１５を有する。
【００８３】
ミキサ１１３は、アンテナ１１１を介して入力される放送信号としての高周波信号（ＲＦ信号）から、選局に対応した周波数成分を抽出し、中間周波数のＯＦＤＭ信号（ＩＦ信号）に変換して復調部１２０に出力する。なお、ＩＦアンプ１１４は、復調部１２０のＡＧＣ部１２９からフィードバックされるゲインに従ってＩＦ信号を増幅する。
【００８４】
復調部１２０は、局部発振器１２１、ミキサ１２２、ＦＥＴ部１２３、等化部１２４、ＦＥＣ部１２５、プリアンブル検出部１２６、フレーム同期部１２７、シンボル同期部１２８、およびＡＧＣ部１２９を有する。
【００８５】
ミキサ１２２は、ＲＦチューナ１１０から入力されたＩＦ信号をベースバンド信号（ＢＢ）にダウンコンバートし、ＦＦＴ部１２３に出力する。
【００８６】
ＦＥＴ部１２３は、シンボル同期部１２８からのトリガ位置の指示に基づいて、ミキサ１２２から供給される信号のうち、所定の区間のデータに対してＦＦＴ演算処理を施し、その結果得られるＦＦＴ演算後の信号を、等化部１２４に供給する。
【００８７】
等化部１２４は、ＯＦＤＭ周波数領域信号の各ＯＦＤＭシンボルに含まれるパイロットシンボルに基づいて、伝送チャネルの特性に応じた等化処理を行う機能ブロックとされる。
【００８８】
ＦＥＣ部１２５は、等化部１２４からのＯＦＤＭ周波数領域信号を対象として、必要な誤り訂正復号処理を行う。すなわち、ＦＥＣ部１２５は、例えば、デインターリーブや、デパンクチャ(de-punctured)、ビタビ復号、拡散信号除去、LDPC(Low Density Parity Check)復号、RS（リードソロモン）復号を行い、その結果得られる誤り訂正復号データを出力する。
【００８９】
プリアンブル検出部１２６は、ＦＥＴ部１２３から出力されるＯＦＤＭ信号に含まれるパイロット信号に基づいて、Ｔ２フレームの先頭に含まれるＰ１シンボルを検出し、Ｐ１シンボルによって伝送されたシグナリングを復号する。また、プリアンブル検出部１２６は、復号して得られたＰ１シグナリングに基づいて、そのフレームがＴ２フレームであるのか、ＦＥＦであるのかを判別するための判別情報を取得する。さらに、プリアンブル検出部１２６は、Ｐ２に基づいて、FEF length、FEF intervalなどを表す情報、および、Ｔ２フレームの復調処理に必要な情報を取得する。
【００９０】
フレーム同期部１２７は、ＦＥＣ部１２５から出力される誤り訂正復号データから、ＦＥＦに係る情報を取得し、プリアンブル検出部１２６から出力されるＰ１シグナリングの復号結果を取得する。そして、フレーム同期部１２７は、受信した放送信号に含まれるＴ２フレーム、Ｔ２−Ｌｉｔｅフレーム、または、ＦＥＦについてそれぞれのフレームの先頭位置を検出するようになされている。
【００９１】
フレーム同期部１２７は、フレームの先頭位置が検出されたタイミングで、ＡＧＣ部１２９の動作を制御するためのＡＧＣ制御情報を、必要に応じてＡＧＣ部１２９に供給する。
【００９２】
シンボル同期部１２８は、プリアンブル検出部１２６から出力されるＰ１位置情報やＦＦＴサイズから、ＦＦＴトリガ情報を生成し、ＦＦＴ部１２３に出力する。
【００９３】
ＡＧＣ部１２９は、ＲＦチューナ１１０から出力される信号の供給を受け、入力されたＯＦＤＭ信号の電力を一定に保つようなゲイン制御を行う。ＡＧＣ部１２９は、ＲＦチューナ１１０から出力される信号に基づいて特定されるゲインをＩＦアンプ１１４に供給する。
【００９４】
また、ＡＧＣ部１２９は、フレーム同期部１２７から供給されるＡＧＣ制御情報にゲイン保持フラグが含まれている場合、ＩＦアンプ１１４に供給するゲインの値を一定に保つようになされている。
【００９５】
さらに、ＡＧＣ部１２９は、フレーム同期部１２７から供給されるＡＧＣ制御情報に初期ゲイン情報が含まれている場合、ＩＦアンプ１１４に供給するゲインの初期値を初期ゲイン情報に基づいて変更するようになされている。
【００９６】
また、ＡＧＣ部１２９は、フレーム同期部１２７から供給されるＡＧＣ制御情報に時定数情報が含まれている場合、ＩＦアンプ１１４に供給するゲインを算出する時間的間隔を特定する時定数を、時定数情報に基づいて変更するようになされている。なお、時定数が大きいほど、ＲＦチューナ１１０から出力される信号の電力に対するゲインの変化の追従速度が遅くなり、時定数が小さいほど、ＲＦチューナ１１０から出力される信号の電力に対するゲインの変化の追従速度が速くなる。
【００９７】
図１０は、図９のフレーム同期部１２７の詳細な構成例を示すブロック図である。同図の例では、フレーム同期部１２７が、フレーム位置検出部２０１、ゲイン保持フラグ設定部２０２、初期ゲイン情報生成部２０３、およびＡＧＣ制御情報生成部２０４を備えている。
【００９８】
フレーム位置検出部２０１は、Ｔ２フレーム、Ｔ２−Ｌｉｔｅフレーム、または、ＦＥＦについてそれぞれのフレームの先頭位置を検出する。
【００９９】
ゲイン保持フラグ設定部２０２は、フレーム位置検出部２０１の検出結果に基づいて、ＡＧＣ部１２９から供給されるゲインを一定に保つようにするためのゲイン保持フラグを設定するか否かを表す情報を生成し、ＡＧＣ制御情報生成部２０４に出力する。
【０１００】
初期ゲイン情報生成部２０３は、フレーム位置検出部２０１の検出結果に基づいて、ＡＧＣ部１２９から供給されるゲインの初期値を特定する情報を生成し、ＡＧＣ制御情報生成部２０４に出力する。なお、ゲインの初期値は、例えば、所望のプロファイルの信号を復調するために最適なゲインとして、伝送路の状況などに基づいて予め算出されているものとする。
【０１０１】
ＡＧＣ制御情報生成部２０４は、ゲイン保持フラグ設定部２０２、および、初期ゲイン情報生成部２０３から出力された情報に基づいてＡＧＣ制御情報を生成して出力するようになされている。
【０１０２】
例えば、放送信号において、Ｔ２フレームとＴ２−Ｌｉｔｅフレームが混在し、受信装置１００がＴ２−Ｌｉｔｅのプロファイルの受信および復調を行って誤り訂正復号データを出力するものであるとする。
【０１０３】
この場合、例えば、フレーム位置検出部２０１が最初のＴ２−Ｌｉｔｅフレームの先頭位置を検出したとき、初期ゲイン情報生成部２０３がＡＧＣ部１２９から供給されるゲインの初期値を特定する初期ゲイン情報を生成する。そして、ＡＧＣ制御情報生成部２０４は、初期ゲイン情報を含むＡＧＣ制御情報を生成してＡＧＣ部１２９に出力する。
【０１０４】
また、フレーム位置検出部２０１がＴ２フレームの先頭位置を検出したとき、ゲイン保持フラグ設定部２０２がゲイン保持フラグを設定する旨を表す情報を生成する。そして、ＡＧＣ制御情報生成部２０４は、ゲイン保持フラグを含むＡＧＣ制御情報を生成してＡＧＣ部１２９に出力する。
【０１０５】
図１１は、このときの送信信号とＡＧＣで設定されるゲインを説明する図である。なお、図中最も上に示される小さい矩形のそれぞれが、ＤＶＢ−Ｔ２規格に適合する放送信号のフレームを表している。
【０１０６】
図１１において、線３１は、放送局から受信装置に送信される送信信号（放送信号）の波形を表している。線３２は、受信装置のＡＧＣにより設定されるゲインの値の波形を表している。点線３３は、当該放送信号のＴ２−Ｌｉｔｅフレームの受信および復調を行うのに適したゲインの値を示している。
【０１０７】
これらの波形は、横軸が時間とされ、図中最も上に示されるＴ２フレームまたはＴ２−Ｌｉｔｅフレームを表す矩形により示される時間に同期した波形とされる。
【０１０８】
上述したように、Ｔ２フレームとＴ２−Ｌｉｔｅフレームが混在する場合、Ｔ２−Ｌｉｔｅのプロファイルの受信および復調を行い、誤り訂正復号データを出力する受信装置は、Ｔ２フレームをＦＥＦとみなして処理することになる。すなわち、Ｔ２フレームの先頭位置となる時刻において、ＡＧＣ制御情報に基づいてＡＧＣ部１２９にゲイン保持フラグが設定される。
【０１０９】
しかしながら、図１１の場合、図中最も左側のＴ２−Ｌｉｔｅフレームの先頭位置となる時刻において、ＡＧＣ制御情報に基づいてＡＧＣ部１２９にゲインの初期値が設定される。これにより、図１１の場合、例えば、図８の場合とは異なり、Ｔ２−Ｌｉｔｅ区間に比べてＴ２区間が非常に長い場合であっても、Ｔ２−Ｌｉｔｅのプロファイルの受信および復調を迅速に行うことができる。
【０１１０】
図１２は、図９のフレーム同期部１２７の別の詳細な構成例を示すブロック図である。同図の例では、フレーム同期部１２７が、フレーム位置検出部２０１、ゲイン保持フラグ設定部２０２、時定数情報生成部２０５、およびＡＧＣ制御情報生成部２０４を備えている。
【０１１１】
図１２の構成の場合、図１０の構成とは異なり、フレーム同期部１２７に、初期ゲイン情報生成部２０３が設けられておらず、時定数情報生成部２０５が設けられている。
【０１１２】
時定数情報生成部２０５は、フレーム位置検出部２０１の検出結果に基づいて、ＡＧＣ部１２９が、ＩＦアンプ１１４に供給するゲインを算出する時間的間隔を特定する時定数に係る時定数情報を生成する。上述したように、時定数が大きいほど、ＲＦチューナ１１０から出力される信号の電力に対するゲインの変化の追従速度が遅くなり、時定数が小さいほど、ＲＦチューナ１１０から出力される信号の電力に対するゲインの変化の追従速度が速くなる。
【０１１３】
その他の構成は、図１０の場合と同様なので詳細な説明は省略する。
【０１１４】
例えば、放送信号において、Ｔ２フレームとＴ２−Ｌｉｔｅフレームが混在し、受信装置１００がＴ２−Ｌｉｔｅのプロファイルの受信および復調を行って誤り訂正復号データを出力するものであるとする。
【０１１５】
この場合、例えば、フレーム位置検出部２０１が最初のＴ２−Ｌｉｔｅフレームの先頭位置を検出したとき、時定数情報生成部２０５が時定数の値を小さい値に変更するための時定数情報を生成する。そして、ＡＧＣ制御情報生成部２０４は、時定数情報を含むＡＧＣ制御情報を生成してＡＧＣ部１２９に出力する。
【０１１６】
また、フレーム位置検出部２０１がＴ２フレームの先頭位置を検出したとき、ゲイン保持フラグ設定部２０２がゲイン保持フラグを設定する旨を表す情報を生成する。そして、ＡＧＣ制御情報生成部２０４は、ゲイン保持フラグを含むＡＧＣ制御情報を生成してＡＧＣ部１２９に出力する。
【０１１７】
図１３は、このときの送信信号とＡＧＣで設定されるゲインを説明する図である。なお、図中最も上に示される小さい矩形のそれぞれが、ＤＶＢ−Ｔ２規格に適合する放送信号のフレームを表している。
【０１１８】
図１３において、線３１は、放送局から受信装置に送信される送信信号（放送信号）の波形を表している。線３４は、受信装置のＡＧＣにより設定されるゲインの値の波形を表している。点線３３は、当該放送信号のＴ２−Ｌｉｔｅフレームの受信および復調を行うのに適したゲインの値を示している。
【０１１９】
これらの波形は、横軸が時間とされ、図中最も上に示されるＴ２フレームまたはＴ２−Ｌｉｔｅフレームを表す矩形により示される時間に同期した波形とされる。
【０１２０】
上述したように、Ｔ２フレームとＴ２−Ｌｉｔｅフレームが混在する場合、Ｔ２−Ｌｉｔｅのプロファイルの受信および復調を行う受信装置は、Ｔ２フレームをＦＥＦとみなして処理することになる。すなわち、Ｔ２フレームの先頭位置となる時刻において、ＡＧＣ制御情報に基づいてＡＧＣ部１２９にゲイン保持フラグが設定される。
【０１２１】
しかしながら、図１３の場合、図中最も左側のＴ２−Ｌｉｔｅフレームの先頭位置となる時刻において、ＡＧＣ制御情報に基づいてＡＧＣ部１２９に設定される時定数が小さい値に変更される。これにより、ＲＦチューナ１１０から出力される信号の電力に対するゲインの変化の追従速度が速くなる。
【０１２２】
また、例えば、ＡＧＣにより設定されるゲインの値が、点線３３で示されるゲインの値に到達した後は、Ｔ２−Ｌｉｔｅフレームの先頭位置となる時刻において、ＡＧＣ制御情報に基づいてＡＧＣ部１２９に設定される時定数が小さい値に変更されないように制御されるようにしてもよい。
【０１２３】
従って、図１３の場合、例えば、図８の場合とは異なり、Ｔ２−Ｌｉｔｅ区間に比べてＴ２区間が非常に長い場合であっても、Ｔ２−Ｌｉｔｅのプロファイルの受信および復調を迅速に行うことができる。
【０１２４】
なお、Ｔ２−Ｌｉｔｅフレームの先頭位置が検出された後、Ｔ２フレームの先頭位置が検出されたとき、時定数の値を元に戻す（大きくする）ための時定数情報が生成され、当該時定数情報を含むＡＧＣ制御情報が出力されるようにしてもよい。このようにする場合、Ｔ２−Ｌｉｔｅフレームの先頭位置される都度、時定数の値を小さい値に変更するための時定数情報が生成され、当該時定数情報を含むＡＧＣ制御情報が出力される。
【０１２５】
あるいはまた、図１２の構成において、ゲイン保持フラグ設定部２０２が設けられないようにしてもよい。このようにする場合、フレーム位置検出部２０１がＴ２−Ｌｉｔｅフレームの先頭位置を検出したとき、時定数情報生成部２０５が時定数の値を小さい値に変更するための時定数情報を常に生成し、フレーム位置検出部２０１がＴ２フレームの先頭位置を検出したとき、時定数の値を極めて大きい（ほぼ無限大）値に変更するための時定数情報を常に生成する。
【０１２６】
ＡＧＣ部１２９に極めて大きい時定数が設定されると、ＲＦチューナ１１０から出力される信号の電力に対するゲインの変化の追従速度が極めて遅くなり、ＡＧＣ部１２９は、ゲインを保持する場合とほぼ同様に動作することになる。
【０１２７】
このように、ゲイン保持フラグを用いることなく、時定数を変更することにより、ＡＧＣ部１２９から出力されるゲイン値を一定に保持させるようにすることも可能である。
【０１２８】
あるいはまた、放送信号において、Ｔ２フレームとＴ２−Ｌｉｔｅフレームが混在し、受信装置１００がＴ２−Ｌｉｔｅのプロファイルの受信および復調を行って誤り訂正復号データを出力するものである場合、ゲイン保持フラグ設定部２０２の動作が停止されるようにしてもよい。この場合、放送信号の受信中にＡＧＣ部１２９から出力されるゲインが一定に保持されることはなく、ＲＦチューナ１１０から出力される信号の電力に対するゲインの変化の追従が常に行われることになる。
【０１２９】
図１４は、ゲイン保持フラグ設定部２０２の動作が停止される場合における、送信信号とＡＧＣで設定されるゲインを説明する図である。なお、図中最も上に示される小さい矩形のそれぞれが、ＤＶＢ−Ｔ２規格に適合する放送信号のフレームを表している。
【０１３０】
図１４において、線３１は、放送局から受信装置に送信される送信信号（放送信号）の波形を表している。線３５は、受信装置のＡＧＣにより設定されるゲインの値の波形を表している。点線３３は、当該放送信号のＴ２−Ｌｉｔｅフレームの受信および復調を行うのに適したゲインの値を示している。
【０１３１】
これらの波形は、横軸が時間とされ、図中最も上に示されるＴ２フレームまたはＴ２−Ｌｉｔｅフレームを表す矩形により示される時間に同期した波形とされる。
【０１３２】
上述したように、Ｔ２フレームとＴ２−Ｌｉｔｅフレームが混在する場合、Ｔ２−Ｌｉｔｅのプロファイルの受信および復調を行う受信装置は、Ｔ２フレームをＦＥＦとみなして処理することになる。すなわち、Ｔ２フレームの先頭位置となる時刻において、ＡＧＣ制御情報に基づいてＡＧＣ部１２９にゲイン保持フラグが設定される。
【０１３３】
しかしながら、図１４の場合、Ｔ２フレームの先頭位置となる時刻において、ＡＧＣ部１２９にゲイン保持フラグが設定されない。これにより、Ｔ２フレームの受信中にも、ＲＦチューナ１１０から出力される信号の電力に対するゲインの変化の追従が行われることになる。
【０１３４】
従って、図１４の場合、例えば、図８の場合とは異なり、Ｔ２−Ｌｉｔｅ区間に比べてＴ２区間が非常に長い場合であっても、Ｔ２−Ｌｉｔｅのプロファイルの受信および復調を迅速に行うことができる。
【０１３５】
次に、図１５のフローチャートを参照して、本技術を適用した受信装置１００によるプロファイル別受信処理の例について説明する。
【０１３６】
この処理は、放送信号において、Ｔ２フレームとＴ２−Ｌｉｔｅフレームが混在し、受信装置１００がいずれか一方（例えば、Ｔ２−Ｌｉｔｅ）のプロファイルの受信および復調を行って誤り訂正復号データを出力する場合に実行される。
【０１３７】
また、図１５に示されるプロファイル別受信処理は、フレーム同期部１２７が図１０に示されるように構成される場合の処理の例とされる。
【０１３８】
ステップＳ２１において、プリアンブル検出部１２６は、Ｐ１、Ｐ２を解析する。このとき、Ｔ２フレームの先頭に含まれるＰ１シンボルが検出され、Ｐ１シンボルによって伝送されたシグナリングが復号される。また、復号して得られたＰ１シグナリングに基づいて、そのフレームがＴ２フレームであるのか、ＦＥＦであるのかを判別するための判別情報が取得され、さらに、Ｐ２に基づいて、FEF length、FEF intervalなどを表す情報、および、Ｔ２フレームの復調処理に必要な情報が取得される。
【０１３９】
ステップＳ２２において、フレーム同期部１２７は、Ｔ２のプロファイルとＴ２−Ｌｉｔｅのプロファイルが混在しているか否かを判定する。ステップＳ２２において、Ｔ２のプロファイルとＴ２−Ｌｉｔｅのプロファイルが混在していると判定された場合、処理は、ステップＳ２３に進む。
【０１４０】
ステップＳ２３において、フレーム同期部１２７のフレーム位置検出部２０１は、フレームの先頭位置が検出されたか否かを判定し、フレームの先頭位置が検出されたと判定されるまで待機する。ステップＳ２３においてフレームの先頭位置が検出されたと判定された場合、処理は、ステップＳ２４に進む。
【０１４１】
ステップＳ２４において、フレーム位置検出部２０１は、所望のプロファイルのフレーム（いまの場合、Ｔ２−Ｌｉｔｅフレーム）であるか否かを判定する。ステップＳ２４において、所望のプロファイルのフレームであると判定された場合、処理は、ステップＳ２５に進む。
【０１４２】
ステップＳ２５において、初期ゲイン情報生成部２０３は、ＡＧＣ部１２９から供給されるゲインの初期値を特定する初期ゲイン情報を生成する。そして、ＡＧＣ制御情報生成部２０４は、初期ゲイン情報を含むＡＧＣ制御情報を生成してＡＧＣ部１２９に出力する。
【０１４３】
ステップＳ２６において、ＡＧＣ部１２９から出力されるゲインの初期値が、ステップＳ２５の処理で生成された初期ゲイン情報により特定される値に設定される。
【０１４４】
一方、ステップＳ２４において、所望のプロファイルのフレームではないと判定された場合、処理は、ステップＳ２７に進む。
【０１４５】
ステップＳ２７において、ゲイン保持フラグ設定部２０２は、ゲイン保持フラグを設定する旨を表す情報を生成する。そして、ＡＧＣ制御情報生成部２０４は、ゲイン保持フラグを含むＡＧＣ制御情報を生成してＡＧＣ部１２９に出力する。
【０１４６】
ステップＳ２８において、ＡＧＣ部１２９にゲイン保持フラグが設定され、ＡＧＣ部１２９から出力されるゲインが一定に保持される。
【０１４７】
ステップＳ２６若しくはステップＳ２８の処理の後、処理は、ステップＳ２９に進む。
【０１４８】
ステップＳ２９において、放送信号の受信が終了したか否かが判定され、まだ終了していないと判定された場合、処理は、ステップＳ２３に戻り、それ以降の処理が繰り返し実行される。
【０１４９】
ステップＳ２９において、放送信号の受信が終了したと判定された場合、または、ステップＳ２２において、Ｔ２のプロファイルとＴ２−Ｌｉｔｅのプロファイルが混在していないと判定された場合、処理は、終了する。
【０１５０】
このようにして、プロファイル別受信処理が実行される。これにより、例えば、図１１を参照して上述したように、ＡＧＣで設定されるゲインが制御される。
【０１５１】
次に、図１６のフローチャートを参照して、本技術を適用した受信装置１００によるプロファイル別受信処理の別の例について説明する。
【０１５２】
この処理は、放送信号において、Ｔ２フレームとＴ２−Ｌｉｔｅフレームが混在し、受信装置１００がいずれか一方（例えば、Ｔ２−Ｌｉｔｅ）のプロファイルの受信および復調を行って誤り訂正復号データを出力する場合に実行される。
【０１５３】
また、図１６に示されるプロファイル別受信処理は、フレーム同期部１２７が図１２に示されるように構成される場合の処理の例とされる。
【０１５４】
ステップＳ４１において、プリアンブル検出部１２６は、Ｐ１、Ｐ２を解析する。このとき、Ｔ２フレームの先頭に含まれるＰ１シンボルが検出され、Ｐ１シンボルによって伝送されたシグナリングが復号される。また、復号して得られたＰ１シグナリングに基づいて、そのフレームがＴ２フレームであるのか、ＦＥＦであるのかを判別するための判別情報が取得され、さらに、Ｐ２に基づいて、FEF length、FEF intervalなどを表す情報、および、Ｔ２フレームの復調処理に必要な情報が取得される。
【０１５５】
ステップＳ４２において、フレーム同期部１２７は、Ｔ２のプロファイルとＴ２−Ｌｉｔｅのプロファイルが混在しているか否かを判定する。ステップＳ４２において、Ｔ２のプロファイルとＴ２−Ｌｉｔｅのプロファイルが混在していると判定された場合、処理は、ステップＳ４３に進む。
【０１５６】
ステップＳ４３において、フレーム同期部１２７のフレーム位置検出部２０１は、フレームの先頭位置が検出されたか否かを判定し、フレームの先頭位置が検出されたと判定されるまで待機する。ステップＳ４３においてフレームの先頭位置が検出されたと判定された場合、処理は、ステップＳ４４に進む。
【０１５７】
ステップＳ４４において、フレーム位置検出部２０１は、所望のプロファイルのフレーム（いまの場合、Ｔ２−Ｌｉｔｅフレーム）であるか否かを判定する。ステップＳ４４において、所望のプロファイルのフレームであると判定された場合、処理は、ステップＳ４５に進む。
【０１５８】
ステップＳ４５において、時定数情報生成部２０５は、ＡＧＣ部１２９が、ＩＦアンプ１１４に供給するゲインを算出する時間的間隔を特定する時定数に係る時定数情報を生成する。このとき、時定数として小さい値を設定するための時定数情報が設定される。
【０１５９】
ステップＳ４６において、ＡＧＣ部１２９の時定数がステップＳ４５の処理で生成された時定数情報に対応する値に変更される。
【０１６０】
一方、ステップＳ４４において、所望のプロファイルのフレームではないと判定された場合、処理は、ステップＳ４７に進む。
【０１６１】
ステップＳ４７において、ゲイン保持フラグ設定部２０２は、ゲイン保持フラグを設定する旨を表す情報を生成する。そして、ＡＧＣ制御情報生成部２０４は、ゲイン保持フラグを含むＡＧＣ制御情報を生成してＡＧＣ部１２９に出力する。
【０１６２】
ステップＳ４８において、ＡＧＣ部１２９にゲイン保持フラグが設定され、ＡＧＣ部１２９から出力されるゲインが一定に保持される。
【０１６３】
ステップＳ４６若しくはステップＳ４８の処理の後、処理は、ステップＳ４９に進む。
【０１６４】
ステップＳ４９において、放送信号の受信が終了したか否かが判定され、まだ終了していないと判定された場合、処理は、ステップＳ４３に戻り、それ以降の処理が繰り返し実行される。
【０１６５】
ステップＳ４４において、放送信号の受信が終了したと判定された場合、または、ステップＳ２２において、Ｔ２のプロファイルとＴ２−Ｌｉｔｅのプロファイルが混在していないと判定された場合、処理は、終了する。
【０１６６】
なお、ステップＳ４７において、時定数の値を極めて大きい（ほぼ無限大）値に変更するための時定数情報が生成されるようにしてもよい。ＡＧＣ部１２９に極めて大きい時定数が設定されると、ＲＦチューナ１１０から出力される信号の電力に対するゲインの変化の追従速度が極めて遅くなり、ＡＧＣ部１２９は、ゲインを保持する場合とほぼ同様に動作することになる。
【０１６７】
このようにして、プロファイル別受信処理が実行される。これにより、例えば、図１３を参照して上述したように、ＡＧＣで設定されるゲインが制御される。
【０１６８】
あるいはまた、放送信号において、Ｔ２フレームとＴ２−Ｌｉｔｅフレームが混在し、受信装置１００がＴ２−Ｌｉｔｅのプロファイルの受信および復調を行うものである場合、ゲイン保持フラグ設定部２０２の動作が停止されるようにしてもよい。この場合、放送信号の受信中にＡＧＣ部１２９から出力されるゲインが一定に保持されることはなく、ＲＦチューナ１１０から出力される信号の電力に対するゲインの変化の追従が常に行われることになる。
【０１６９】
この場合のプロファイル別受信処理の例を図１７のフローチャートに示す。
【０１７０】
ステップＳ６１において、プリアンブル検出部１２６は、Ｐ１、Ｐ２を解析する。このとき、Ｔ２フレームの先頭に含まれるＰ１シンボルが検出され、Ｐ１シンボルによって伝送されたシグナリングが復号される。また、復号して得られたＰ１シグナリングに基づいて、そのフレームがＴ２フレームであるのか、ＦＥＦであるのかを判別するための判別情報が取得され、さらに、Ｐ２に基づいて、FEF length、FEF intervalなどを表す情報、および、Ｔ２フレームの復調処理に必要な情報が取得される。
【０１７１】
ステップＳ６２において、フレーム同期部１２７は、Ｔ２のプロファイルとＴ２−Ｌｉｔｅのプロファイルが混在しているか否かを判定する。ステップＳ６２において、Ｔ２のプロファイルとＴ２−Ｌｉｔｅのプロファイルが混在していると判定された場合、処理は、ステップＳ６３に進む。
【０１７２】
ステップＳ６３において、フレーム同期部１２７のフレーム位置検出部２０１は、フレームの先頭位置が検出されたか否かを判定し、フレームの先頭位置が検出されたと判定されるまで待機する。ステップＳ６３においてフレームの先頭位置が検出されたと判定された場合、処理は、ステップＳ６４に進む。
【０１７３】
ステップＳ６４において、フレーム位置検出部２０１は、所望のプロファイルのフレーム（いまの場合、Ｔ２−Ｌｉｔｅフレーム）であるか否かを判定する。ステップＳ６４において、所望のプロファイルのフレームであると判定された場合、処理は、ステップＳ６５に進む。
【０１７４】
なお、ステップＳ６４の処理は省略され、ステップＳ６３の処理の後、直接、ステップＳ６５に進むようにしてもよい。
【０１７５】
ステップＳ６５において、ゲイン保持フラグ設定部２０２の動作が停止される。
【０１７６】
一方、ステップＳ６２において、Ｔ２のプロファイルとＴ２−Ｌｉｔｅのプロファイルが混在していないと判定された場合、ステップＳ６３乃至ステップＳ６５の処理はスキップされる。
【０１７７】
このようにして、プロファイル別受信処理が実行される。これにより、例えば、図１４を参照して上述したように、ＡＧＣで設定されるゲインが制御される。
【０１７８】
なお、上述した一連の処理は、ハードウェアにより実行させることもできるし、ソフトウェアにより実行させることもできる。上述した一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば図１８に示されるような汎用のパーソナルコンピュータ７００などに、ネットワークや記録媒体からインストールされる。
【０１７９】
図１８において、ＣＰＵ（Central Processing Unit）７０１は、ＲＯＭ（Read Only Memory）７０２に記憶されているプログラム、または記憶部７０８からＲＡＭ（Random Access Memory）７０３にロードされたプログラムに従って各種の処理を実行する。ＲＡＭ７０３にはまた、ＣＰＵ７０１が各種の処理を実行する上において必要なデータなども適宜記憶される。
【０１８０】
ＣＰＵ７０１、ＲＯＭ７０２、およびＲＡＭ７０３は、バス７０４を介して相互に接続されている。このバス７０４にはまた、入出力インタフェース７０５も接続されている。
【０１８１】
入出力インタフェース７０５には、キーボード、マウスなどよりなる入力部７０６、ＬＣＤ(Liquid Crystal display)などよりなるディスプレイ、並びにスピーカなどよりなる出力部７０７、ハードディスクなどより構成される記憶部７０８、モデム、ＬＡＮカードなどのネットワークインタフェースカードなどより構成される通信部７０９が接続されている。通信部７０９は、インターネットを含むネットワークを介しての通信処理を行う。
【０１８２】
入出力インタフェース７０５にはまた、必要に応じてドライブ７１０が接続され、磁気ディスク、光ディスク、光磁気ディスク、或いは半導体メモリなどのリムーバブルメディア７１１が適宜装着され、それらから読み出されたコンピュータプログラムが、必要に応じて記憶部７０８にインストールされる。
【０１８３】
上述した一連の処理をソフトウェアにより実行させる場合には、そのソフトウェアを構成するプログラムが、インターネットなどのネットワークや、リムーバブルメディア７１１などからなる記録媒体からインストールされる。
【０１８４】
なお、この記録媒体は、図１８に示される、装置本体とは別に、ユーザにプログラムを配信するために配布される、プログラムが記録されている磁気ディスク（フロッピディスク（登録商標）を含む）、光ディスク（CD-ROM(Compact Disk-Read Only Memory),DVD(Digital Versatile Disk)を含む）、光磁気ディスク（MD（Mini-Disk）（登録商標）を含む）、もしくは半導体メモリなどよりなるリムーバブルメディア７１１により構成されるものだけでなく、装置本体に予め組み込まれた状態でユーザに配信される、プログラムが記録されているＲＯＭ７０２や、記憶部７０８に含まれるハードディスクなどで構成されるものも含む。
【０１８５】
なお、本明細書において上述した一連の処理は、記載された順序に沿って時系列的に行われる処理はもちろん、必ずしも時系列的に処理されなくとも、並列的あるいは個別に実行される処理をも含むものである。
【０１８６】
また、本技術の実施の形態は、上述した実施の形態に限定されるものではなく、本技術の要旨を逸脱しない範囲において種々の変更が可能である。
【０１８７】
なお、本技術は以下のような構成も取ることができる。
【０１８８】
（１）
ＤＶＢ−Ｔ２規格に適合し、複数のプロファイルが混在する放送信号であって、チューナで受信した前記放送信号から得られた中間周波数ＯＦＤＭ信号の電力を調整するためのゲインを供給するゲイン供給部と、
前記複数のプロファイルのそれぞれに対応するフレームの先頭位置を検出する位置検出部と、
前記フレームの先頭位置が検出されたとき、前記ゲイン供給部が前記チューナから出力される前記中間周波数ＯＦＤＭ信号の電力に基づいて前記ゲインを算出する時間的間隔を特定する時定数を、前記フレームのプロファイルに応じて変更する時定数変更部と
を備える受信装置。
（２）
前記先頭位置が検出されたフレームが復号データを出力すべきプロファイルに対応するフレームであるか否かを判定するプロファイル判定部をさらに備え、
前記先頭位置が検出されたフレームが復号データを出力すべきプロファイルに対応するフレームであると判定された場合、
前記時定数変更部は、
前記ゲイン供給部の時定数を、前記ゲインを算出する時間的間隔を短くする時定数に変更する
（１）に記載の受信装置。
（３）
前記先頭位置が検出されたフレームが復号データを出力すべきプロファイルに対応するフレームではないと判定された場合、
前記ゲイン供給部から供給されるゲインを一定に保持させるように制御するゲイン保持制御部をさらに備える
（２）に記載の受信装置。
（４）
前記先頭位置が検出されたフレームが復号データを出力すべきプロファイルに対応するフレームであるか否かを判定するプロファイル判定部と、
前記先頭位置が検出されたフレームが復号データを出力すべきプロファイルに対応するフレームであると判定された場合、前記ゲイン供給部から供給されるゲインの初期値を、予め決められた所定の値に設定する初期値設定部とをさらに備える
（１）に記載の受信装置。
（５）
前記初期ゲイン設定部は、前記復号データを出力すべきプロファイルの信号の復調に適した値を、前記ゲインの初期値として設定する
（４）に記載の受信装置。
（６）
ＤＶＢ−Ｔ２規格に適合し、複数のプロファイルが混在する放送信号であって、チューナで受信した前記放送信号から得られた中間周波数ＯＦＤＭ信号の電力を調整するためのゲインを供給するゲイン供給部を有する受信装置の受信方法において、
前記複数のプロファイルのそれぞれに対応するフレームの先頭位置を検出し、
前記フレームの先頭位置が検出されたとき、前記ゲイン供給部が前記チューナから出力される前記中間周波数ＯＦＤＭ信号の電力に基づいて前記ゲインを算出する時間的間隔を特定する時定数を、前記フレームのプロファイルに応じて変更するステップ
を含む受信方法。
（７）
コンピュータを、
ＤＶＢ−Ｔ２規格に適合し、複数のプロファイルが混在する放送信号であって、チューナで受信した前記放送信号から得られた中間周波数ＯＦＤＭ信号の電力を調整するためのゲインを供給するゲイン供給部と、
前記複数のプロファイルのそれぞれに対応するフレームの先頭位置を検出する位置検出部と、
前記フレームの先頭位置が検出されたとき、前記ゲイン供給部が前記チューナから出力される前記中間周波数ＯＦＤＭ信号の電力に基づいて前記ゲインを算出する時間的間隔を特定する時定数を、前記フレームのプロファイルに応じて変更する時定数変更部として機能させる
プログラム。
（８）
チューナで受信したＤＶＢ−Ｔ２規格に適合する前記放送信号から得られた中間周波数ＯＦＤＭ信号の電力を調整するためのゲインを供給するゲイン供給部と、
前記放送信号の中のＦＥＦ区間において前記ゲイン供給部から供給されるゲインを一定に保つように制御するゲイン保持制御部と、
前記放送信号に複数のプロファイルが混在するか否かを判定する混在判定部と、
前記放送信号に複数のプロファイルが混在すると判定された場合、前記ゲイン保持制御部の動作を停止させるゲイン保持動作停止部と
を備える受信装置。
（９）
チューナで受信したＤＶＢ−Ｔ２規格に適合する前記放送信号から得られた中間周波数ＯＦＤＭ信号の電力を調整するためのゲインを供給するゲイン供給部と、前記放送信号の中のＦＥＦ区間において前記ゲイン供給部から供給されるゲインを一定に保つように制御するゲイン保持制御部とを有する受信装置の受信方法において、
混在判定部が、前記放送信号に複数のプロファイルが混在するか否かを判定し、
ゲイン保持動作停止部が、前記放送信号に複数のプロファイルが混在すると判定された場合、前記ゲイン保持制御部の動作を停止させるステップ
を含む受信方法。
（１０）
コンピュータを、
チューナで受信したＤＶＢ−Ｔ２規格に適合する前記放送信号から得られた中間周波数ＯＦＤＭ信号の電力を調整するためのゲインを供給するゲイン供給部と、
前記放送信号の中のＦＥＦ区間において前記ゲイン供給部から供給されるゲインを一定に保つように制御するゲイン保持制御部と、
前記放送信号に複数のプロファイルが混在するか否かを判定する混在判定部と、
前記放送信号に複数のプロファイルが混在すると判定された場合、前記ゲイン保持制御部の動作を停止させるゲイン保持動作停止部とを備える受信装置として機能させる
プログラム。
【符号の説明】
【０１８９】
１００  受信装置，  １１０  ＲＦチューナ，  １１１  アンテナ，  １１４  ＩＦアンプ，  １２０  復調部，  １２２  ミキサ，  １２３  ＦＦＴ分，  １２４  等化部，  １２５  ＦＥＣ部，  １２６  プリアンブル検出部，  １２７  フレーム同期部，  １２８  シンボル同期部，  １２９  ＡＧＣ，  １４０  ＭＰＥＧデコーダ
【図１】
2014007679.tif 000003
【図２】
2014007679.tif 000004
【図３】
2014007679.tif 000005
【図４】
2014007679.tif 000006
【図５】
2014007679.tif 000007
【図６】
2014007679.tif 000008
【図７】
2014007679.tif 000009
【図８】
2014007679.tif 000010
【図９】
2014007679.tif 000011
【図１０】
2014007679.tif 000012
【図１１】
2014007679.tif 000013
【図１２】
2014007679.tif 000014
【図１３】
2014007679.tif 000015
【図１４】
2014007679.tif 000016
【図１５】
2014007679.tif 000017
【図１６】
2014007679.tif 000018
【図１７】
2014007679.tif 000019
【図１８】
2014007679.tif 000020